(57)【要約】【課題】枠材とコーナ連結部材との連結部に段差が生じることがなく、かつ、金属製の枠材の端面の角部に手足が引っ掛からないようにした床下構造体用枠体を提供すること。【解決手段】床面構成部材Ｗの上面を覆うフランジ部２１を備えた金属製の枠材２と、該枠材２を連結して矩形状の枠体を形成する、床面構成部材Ｗの上面を覆うフランジ部３１を備えた合成樹脂製のコーナ連結部材３とからなり、フランジ部２１を含む枠材２の端面２０とフランジ部３１を含むコーナ連結部材３の端面３０とを突き合わせて連結するとともに、突き合わせるフランジ部２１を含む枠材２の少なくとも上部の端面２０を上向きの傾斜面２０Ａに、フランジ部３１を含むコーナ連結部材３の少なくとも上部の端面３０を下向きの傾斜面３０Ａに、それぞれ形成する。【選択図】図１
2012193498.tif 000002
【特許請求の範囲】
【請求項１】
床面構成部材の上面を覆うフランジ部を備えた金属製の枠材と、該枠材を連結して矩形状の枠体を形成する、床面構成部材の上面を覆うフランジ部を備えた合成樹脂製のコーナ連結部材とからなる床下構造体用枠体において、フランジ部を含む枠材の端面とフランジ部を含むコーナ連結部材の端面とを突き合わせて連結するとともに、突き合わせるフランジ部を含む枠材の少なくとも上部の端面を上向きの傾斜面に、フランジ部を含むコーナ連結部材の少なくとも上部の端面を下向きの傾斜面に、それぞれ形成してなることを特徴とする床下構造体用枠体。
【請求項２】
前記傾斜面を、枠材及びコーナ連結部材の上面から高さ方向の寸法の５〜５０％に亘って形成し、それより下方の端面を鉛直面に形成してなることを特徴とする請求項１記載の床下構造体用枠体。
【請求項３】
枠材の上面と傾斜面のなす角度を１００°〜１５０°に、コーナ連結部材の上面と傾斜面のなす角度を８０°〜３０°に設定してなることを特徴とする請求項１又は２記載の床下構造体用枠体。
【発明の詳細な説明】
【技術分野】
【０００１】
本発明は、床下構造体用枠体に関し、特に、金属製の枠材の端面の角部に手足が引っ掛からないようにした床下構造体用枠体に関するものである。
【背景技術】
【０００２】
従来、床下収納庫や床下点検口（以下、「床下構造体」という。）に用いられる枠体は、床材の方形に開口した床開口部の周縁や、床開口部を覆う蓋材（以下、床材及び蓋材を総称して「床面構成部材」という。）の上面を覆うフランジ部を備えた金属製の枠材を連結して構成されている（例えば、特許文献１参照。）。
この床下構造体用枠体は、枠材の端部を平面視して４５°に切断し、切断面同士を突き合わせた状態で溶接等の接合手段を用いて矩形状の枠体を形成するようにしているが、端部を正確に４５°に切断する必要があるため、手数を要するとともに、切断部分の材料が無駄になるという問題があった。
この問題に対処するものとして、枠材同士を、コーナ連結部材を介して連結するようにした床下構造体用枠体が提案されている（例えば、特許文献２参照。）。
この床下構造体用枠体は、金属製の枠材及び合成樹脂製のコーナ連結部材のそれぞれに床面構成部材の上面に当接するフランジ部を形成し、フランジ部を含む端部同士を突き合わせ、コーナ連結部材に形成した嵌合片を、枠材に形成した被嵌合部に嵌合して枠材を連結して床下構造体用枠体を構成するようにしている。
【０００３】
しかし、コーナ連結部材の端面に枠材の端面を単に当接させ、嵌合片を被嵌合部に嵌合させて連結しただけの状態であるため、枠材とコーナ連結部材とが上下方向にズレると、金属製の枠材のエッジ部分が表面に露出し、手足を引っ掛けたり怪我を負ったりする場合がある。
そのため、コーナ連結部材に、枠材のフランジ部の端面上部を覆う覆い片を設け、金属製の枠材の端部の露出を防止するようにした床下構造体用枠体が提案されている（例えば、特許文献３参照。）。
【０００４】
ところで、コーナ連結部材に覆い片を設けた床下構造体用枠体では、金属製の枠材の端部の露出を防止することができるものの、覆い片と枠材の表面との間で段差が生じ、切り傷等の怪我を負うことはないものの、手足が引っ掛かる場合があるとともに、見栄えが悪いという問題があった。
【先行技術文献】
【特許文献】
【０００５】
【特許文献１】特開平２００５−１２０７５６号公報
【特許文献２】特開平９−３１０４７９号公報
【特許文献３】特開２０１０−１１６７３８号公報
【発明の概要】
【発明が解決しようとする課題】
【０００６】
本発明は、上記従来の床下構造体用枠体の有する問題点に鑑み、枠材とコーナ連結部材との連結部に段差が生じることがなく、かつ、金属製の枠材の端面の角部に手足が引っ掛からないようにした床下構造体用枠体を提供することを目的とする。
【課題を解決するための手段】
【０００７】
上記目的を達成するため、本発明の床下構造体用枠体は、床面構成部材の上面を覆うフランジ部を備えた金属製の枠材と、該枠材を連結して矩形状の枠体を形成する、床面構成部材の上面を覆うフランジ部を備えた合成樹脂製のコーナ連結部材とからなる床下構造体用枠体において、フランジ部を含む枠材の端面とフランジ部を含むコーナ連結部材の端面とを突き合わせて連結するとともに、突き合わせるフランジ部を含む枠材の少なくとも上部の端面を上向きの傾斜面に、フランジ部を含むコーナ連結部材の少なくとも上部の端面を下向きの傾斜面に、それぞれ形成してなることを特徴とする。
【０００８】
この場合において、前記傾斜面を、枠材及びコーナ連結部材の上面から高さ方向の寸法の５〜５０％に亘って形成し、それより下方の端面を鉛直面に形成することができる。
【０００９】
また、枠材の上面と傾斜面のなす角度を１００°〜１５０°に、コーナ連結部材の上面と傾斜面のなす角度を８０°〜３０°に設定することができる。
【発明の効果】
【００１０】
本発明の床下構造体用枠体によれば、突き合わせるフランジ部を含む枠材の少なくとも上部の端面を上向きの傾斜面に、フランジ部を含むコーナ連結部材の少なくとも上部の端面を下向きの傾斜面に、それぞれ形成することにより、枠材とコーナ連結部材は、上向きと下向きの傾斜面となっている端面同士が当接し、枠材とコーナ連結部材の連結部に段差が生じず、また、金属製の枠材の端面の角部の角度、すなわち、枠材の上面と傾斜面のなす角度が鈍角となることから、金属製の枠材の端面の角部に手足が引っ掛かることをなくすことができる。
【００１１】
また、前記傾斜面を、枠材及びコーナ連結部材の上面から高さ方向の寸法の５〜５０％に亘って形成し、それより下方の端面を鉛直面に形成することにより、枠材とコーナ連結部材との端面を突き合わせたときに、枠材とコーナ連結部材との連結部の７０〜９５％を鉛直面として連結することができ、枠材とコーナ連結部材との支持力を向上させることができるとともに、傾斜面を形成するために必要な枠材の切断量を少なくし、無駄となる材料の発生を少なくすることができる。
【００１２】
また、枠材の上面と傾斜面のなす角度を１００°〜１５０°に、コーナ連結部材の上面と傾斜面のなす角度を８０°〜３０°に設定することにより、枠材とコーナ連結部材との上下方向のズレを確実に防止するとともに、下向きの傾斜面となるコーナ連結部材の上部端面の強度を確保することができる。
【図面の簡単な説明】
【００１３】
【図１】本発明の床下構造体用枠体の一実施例を示し、（ａ）は平面図、（ｂ）は（ａ）のＸ−Ｘ断面の拡大図である。
【図２】同床下構造体用枠体の枠体とコーナ連結部材との連結部を示す斜視図である。
【図３】同床下構造体用枠体を床面構成部材である床材に配設し、床下収納庫の収納庫本体を載置した状態を示す、一部切り欠き断面の正面図である。
【発明を実施するための形態】
【００１４】
以下、本発明の床下構造体用枠体の実施の形態を、図面に基づいて説明する。
【実施例１】
【００１５】
図１〜図３に、本発明の床下構造体用枠体の一実施例を床下収納庫に適用した例を示す。
この床下構造体用枠体１は、床面構成部材Ｗとしての床材の方形に開口した床開口部の周縁の上面を覆うフランジ部２１を備えた金属製の枠材２と、該枠材２を連結して矩形状の枠体を形成する、床面構成部材Ｗとしての床材の方形に開口した床開口部の周縁の上面を覆うフランジ部３１を備えた合成樹脂製のコーナ連結部材３とからなり、フランジ部２１を含む枠材２の端面２０とフランジ部３１を含むコーナ連結部材３の端面３０とを突き合わせて連結するとともに、突き合わせるフランジ部２１を含む枠材２の少なくとも上部の端面２０を上向きの傾斜面２０Ａに、フランジ部３１を含むコーナ連結部材３の少なくとも上部の端面３０を下向きの傾斜面３０Ａに、それぞれ形成するようにしている。
【００１６】
床下構造体用枠体１は、本実施例に示すように、床材の方形に開口した床開口部に設けるもののほか、開口した床開口部を塞ぐ蓋材に設けるものとすることができる（図示省略。この場合、フランジ部２１は、外向きに設けられる本実施例と異なり、内向きに設けられる。）。
【００１７】
枠材２は、アルミニウム等の金属を押出成形によって製造した長尺部材を、長手方向に所望の長さに切断して形成されるもので、床面構成部材Ｗが床材の場合には、床面構成部材Ｗの上面を覆うフランジ部２１と、フランジ部２１から下方に向かって延びる立設面２２と、立設面２２からフランジ部２１とは逆方向で水平に延びる、床開口部を塞ぐ蓋材が載置される水平面２３と、さらに、水平面２３から下方に向かって延びる第２の立設面２４及び第２の立設面２４から水平面２３と同方向に延びる第２の水平面２５とから構成される。
水平面２３は、立設面２２の反フランジ部側の端部から延設するようにしても構わないが、本実施例においては、立設面２２の中間位置から延設し、立設面２２の反フランジ部側の端部は、第２の水平面２５の位置まで延設されている。
第２の水平面２５には、床開口部に配設される、有底箱状の収納庫本体４の開口端縁部４０から外側に延設したフランジ４１が載置される。
なお、床面構成部材Ｗが床開口部を塞ぐ蓋材の場合には、第２の立設面２４及び第２の水平面２５を設ける必要はなく、水平面２３はフランジ部２１と同方向に延設し、枠材２を断面コ字状に形成して、蓋材を、立設面２２から延設されるフランジ部２１と水平面２３とによって挟み込むように構成する。
【００１８】
また、枠材２には、後述するコーナ連結部材３に形成されている嵌合片３６が嵌合する嵌合溝２６を形成する。
嵌合溝２６の形成個所は、特に限定されるものではないが、本実施例においては、立設面２２の裏面側に形成する。
具体的には、立設面２２の裏面との間で、嵌合片３６の厚みよりも若干大きくなる隙間（溝部）を形成するように、突設片２６ａ、２６ａを枠材２の全長に亘って設けることによって嵌合溝２６を形成する。本実施例においては、上側の突設片２６ａは、フランジ部２１の下面から突設し、下側の突設片２６ａは、Ｌ字状の屈折片として立設面２２の下方から突設するようにしている。
【００１９】
また、嵌合溝２６を形成する立設面２２には、後述する嵌合片３６から突出して設けた係止爪３６ａが係止する係止孔２２ｂを開口する。
嵌合片３６が嵌合溝２６に嵌合され、係止爪３６ａが係止孔２２ｂに係止されているときは、枠材２からコーナ連結部材３が外れることを防止する。
【００２０】
そして、フランジ部２１を含む枠材２の少なくとも上部の端面２０を上向きの傾斜面２０Ａとなるように形成している。
この傾斜面２０Ａの形成範囲は、特に限定されるものではないが、本実施例においては、枠材２の上面から高さ方向の寸法の５〜５０％に亘って形成し、それより下方の端面２０を鉛直面２０Ｂとなるように形成するようにしている。
【００２１】
コーナ連結部材３は、ポリアミド樹脂、ポリオレフィン樹脂、塩化ビニル樹脂等の合成樹脂により形成し、両端部に枠材２の端面２０が当接する端面を有するもので、図１（ａ）及び図２に示すように、平面視Ｌ字状をなし、枠材２と同様、床面構成部材Ｗが床材の場合には、床面構成部材Ｗの上面を覆うフランジ部３１と、フランジ部３１から下方に向かって延びる立設面３２と、立設面３２からフランジ部３１とは逆方向で水平に延びる、床開口部を塞ぐ蓋材が載置される水平面３３と、さらに、水平面３３から下方に向かって延びる第２の立設面３４及び第２の立設面３４から水平面３３と同方向に延びる第２の水平面３５とから構成される。
第２の立設面３４及び水平面３３は、床面構成部材Ｗが床開口部を塞ぐ蓋材の場合には、枠材２の第２の立設面２４及び第２の水平面２５と同様に設ける必要はない。
【００２２】
また、コーナ連結部材３には、枠材２の嵌合溝２６に嵌合する嵌合片３６が端面３０から突出して形成されている。
嵌合片３６には、枠材２の立設面２２に形成した係止孔２２ｂに係止する、嵌合片３６の表面よりも突出する係止爪３６ａを形成するようにしている。
この係止爪３６ａは、嵌合片３６の表面から出没可能となるように構成するものであれば、特に限定されるものではないが、本実施例においては、嵌合片３６の表面をコ字状に切り欠き、嵌合片３６と繋がる部分を揺動辺とし、自由端近傍に突出するように形成している。
コーナ連結部材３に形成する嵌合片３６及び枠材２に形成する嵌合溝２６は、コーナ連結部材３に嵌合溝を形成し、枠材２に嵌合片を形成することもでき、この場合には、係止爪を枠材２に形成する嵌合片に、係止孔をコーナ連結部材３の立設面３２に形成するようにする。
【００２３】
なお、嵌合片３６を枠材の嵌合溝２６に嵌合させ、枠材２の立設面２２の外側からボルトやビス等の締結手段を用いて、床面構成部材Ｗに固定するようにしてもよく、この場合には、嵌合片３６の係止爪３６ａ及び枠材２の立設面２２の係止孔２２ｂを省略することができる。
【００２４】
そして、フランジ部３１を含むコーナ連結部材３の少なくとも上部の端面３０を下向きの傾斜面３０Ａとなるように形成している。
この傾斜面３０Ａの形成範囲は、枠材２に形成する傾斜面２０Ａの形成範囲と同じ範囲となるように形成するもので、本実施例においては、枠材２と同様に、コーナ連結部材３の上面から高さ方向の寸法の５〜５０％に亘って形成し、それより下方の端面３０を鉛直面３０Ｂとなるように形成するようにしている。
枠材２及びコーナ連結部材３に傾斜面２０Ａ、３０Ａを上面から高さ方向の寸法の５〜５０％に亘って形成し、それより下方の端面２０、３０を鉛直面２０Ｂ、３０Ｂとなるように形成することよって、枠材とコーナ連結部材との連結部の７０〜９５％を鉛直面として連結することができ、枠材２とコーナ連結部材３との支持力を向上させることができるとともに、傾斜面２０Ａ、３０Ａを形成するために必要な枠材の切断量を少なくし、無駄となる材料の発生を防止することができる。
【００２５】
また、枠材２及びコーナ連結部材３の傾斜面２０Ａ、３０Ａの角度は、金属製の枠材２の端面２０が、床面構成部材Ｗよりも突出することがないように覆われ、かつ、枠材２とコーナ連結部材３との連結部に段差を生じさせることがないように、両端面２０、３０が当接するものであれば、特に限定されるものではないが、枠材２とコーナ連結部材３との上下方向のズレを確実に防止するとともに、下向きの傾斜面３０Ａとなるコーナ連結部材の強度を確保することができる、枠材２の上面２Ｕと傾斜面２０Ａのなす角度αを１００°〜１５０°に、コーナ連結部材３の上面３Ｕと傾斜面３０Ａのなす角度βを８０°〜３０°に設定することが好ましく、特に、角度αを１３５°、角度βを４５°とすることにより、上下方向のズレ防止と、下向きの傾斜面３０Ａの強度のバランスに優れたものとなる。
また、金属製の枠材２の傾斜面２０Ａの角度αを１００°〜１５０°と鈍角に形成することで、枠材２の端面の角部が表面に露出しても、手足を引っ掛けることがない。
【００２６】
次に、床下構造体用枠体１を組み立てて、床面構成部材Ｗである床材に取り付ける手順を説明する。
まず、図２に示すように、コーナ連結部材３の嵌合片３６を、矢符方向に枠材２の嵌合溝２６に嵌合する。
このとき、嵌合片３６から突設した係止爪３６ａが枠材２の立設面２２に開口して形成された係止孔２２ｂに係止し、かつ、枠材２及びコーナ連結部材３のそれぞれの端面２０、３０が突き合わさった状態となるようにする。
【００２７】
そして、図１（ａ）に示すように、４本の枠材２を４つのコーナ連結部材３によって連結し、平面視矩形状の床下構造体用枠体１を形成する。
【００２８】
矩形状に連結された床下構造体用枠体１は、図３に示すように、床面構成部材Ｗである床材の開口部に配設する。
このとき、枠材２及びコーナ連結部材３のフランジ部２１、３１を床面構成部材Ｗの上面に載置するとともに、枠材２及びコーナ連結部材３の第２の水平面２５、３５の下面を、開口部内に固定されている補強枠５上に載置し、ボルト、ビス等の締結手段によって、床下構造体用枠体１を補強枠５に固定する。
【００２９】
その後、床下収納庫の収納庫本体４の開口端縁部４０から外側に延設したフランジ４１を床下構造体用枠体１の第２の水平面２５、３５上に載置する。
【００３０】
そして、水平面２３、３３を、フランジ部２１、３１と同方向に延設し、第２の立設面２４、３４及び第２の水平面２５、３５を有さない枠材２及びコーナ連結部材３を、矩形上に連結した床下構造体用枠体１によって周縁部を覆われた蓋材（図示省略）を、床下収納庫の収納庫本体４を載置した床下構造体用枠体１の水平面２３、３３上に載置し、床下収納庫を完成させる。
【００３１】
以上、本発明の床下構造体用枠体について、その実施例に基づいて説明したが、本発明は上記実施例に記載した構成に限定されるものではなく、その趣旨を逸脱しない範囲において適宜その構成を変更することができるものである。
【産業上の利用可能性】
【００３２】
本発明の床下構造体用枠体は、枠材とコーナ連結部材との連結部に段差が生じることがなく、かつ、金属製の枠材の端面の角部に手足が引っ掛からないようにできることから、床下収納庫や床下点検口等の床下構造体用の枠体の用途に好適に用いることができる。
【符号の説明】
【００３３】
１    床下構造体用枠体
２    枠材
２０  端面
２０Ａ  傾斜面
２１  フランジ部
３    コーナ連結部材
３０  端面
３０Ａ  傾斜面
３１  フランジ部
【図１】
2012193498.tif 000003
【図２】
2012193498.tif 000004
【図３】
2012193498.tif 000005